Podtech/llm-jp-corpus-v4-ja_patent huggingface dataset:
(57)【要約】【課題】従来、ベルト通しは、衣料品に固定されているものであった。【解決手段】ベルト通しとする部材の一部分を切断する事により取外し可能なベルト通しの機能を持たせたものである。【選択図】　図１
0003098711.tif 000002
【実用新案登録請求の範囲】
【請求項１】
ベルト通しとする部材１の一箇所に切断部分を有する事で、衣料品２のベルト部分３に脱着出来るようにした物である。
【考案の詳細な説明】
【０００１】
【考案が解決しようとする課題】
従来、ベルト通しは、衣料品などには固定されているものであった。
【０００２】
【課題を解決する為の手段】
ベルト通しとする部材の一部分を切断する事により取外し可能なベルト通しの機能を持たせたものである。
【０００３】
【考案の効果】
このようにすれば、ベルト通しの脱着が可能となり従来では考える事の出来ないデザインが可能となる。
【図面の簡単な説明】
【図１】取外し式ベルト通しの斜視図である。
【図２】取外し式ベルト通しを衣料品に装着している図である。
【図３】取外し式ベルト通しの展開図である。
【符号の説明】
１　取外し式ベルト通し
２　衣料品本体
３　衣料品に付加するベルト部分
【図１】
0003098711.tif 000003
【図２】
0003098711.tif 000004
【図３】
0003098711.tif 000005
(57)【要約】　　　（修正有）【課題】臭いなどによる不快感を除去した生理ナプキン、おりものナプキン及び紙オムツを提供する。【解決手段】不織布と吸水紙の間に炭入りシートを入れたナプキンの素材として使用する。【選択図】図２
0003098718.tif 000002
【実用新案登録請求の範囲】
生理用ナプキン及びおりもの用ナプキン及び紙オムツに炭入りシートを付けた。
【考案の詳細な説明】
この考案は生理用ナプキン及びおりもの用ナプキン及び紙オムツに炭入りシートを付けたものである。
従来の生理用ナプキン及びおりもの用ナプキン及び紙オムツになかったため臭いなどによる不快感を除くため考案されたものである。
【図面の簡単な説明】
【図１】本考案の正面図
【図】本考案の斜視図
【図】本考案の断面図
【符号の説明】
１．　は　不織布
２．　は　炭入りシート
３．　は　吸水紙
４．　は　防水紙
【図１】
0003098718.tif 000003
【図２】
0003098718.tif 000004
【図３】
0003098718.tif 000005
【手続補正書】
【提出日】平成15年4月28日(2003.4.28)
【手続補正１】
【補正対象書類名】明細書
【補正対象項目名】実用新案登録請求の範囲
【補正方法】変更
【補正の内容】
【実用新案登録請求の範囲】
【請求項１】
生理用ナプキンに粉末炭入り吸水シートをつけた。
【請求項２】
おりものナプキンにも粉末炭入り吸水シートを使用する。
【請求項３】
紙おむつにも粉末炭入り吸水シートを使用する。
【手続補正２】
【補正対象書類名】明細書
【補正対象項目名】考案の詳細な説明
【補正方法】変更
【補正の内容】
【考案の詳細な説明】
この考案は、生理用ナプキンに粉末炭入り吸水シートを使用した。
炭には調湿、防臭、防菌、濾過、遠赤外線放出効果があり、粉末にしてもこの効果は変わらないものである。粉末炭を漉きこんだ吸水シートをナプキン内に使用する事で、従来のナプキンにはない調湿、防臭、防菌、濾過、遠赤外線放出効果が得られ、生理中の不快感を取り除く事が出来る。


【手続補正３】
【補正対象書類名】明細書
【補正対象項目名】図面の簡単な説明
【補正方法】変更
【補正の内容】
【図面の簡単な説明】
【図１】生理用ナプキンの正面図
【図２】生理用ナプキンの斜視図
【図３】生理用ナプキンの断面図
【符号の説明】
１．は　不織布
２．は　粉末炭入り吸水紙
３．は　防水紙


【手続補正４】
【補正対象書類名】図面
【補正対象項目名】図２
【補正方法】変更
【補正の内容】
【図２】
0003098718.tif 000006
【手続補正５】
【補正対象書類名】図面
【補正対象項目名】図３
【補正方法】変更
【補正の内容】
【図３】
0003098718.tif 000007
【手続補正書】
【提出日】平成15年7月10日(2003.7.10)
【手続補正１】
【補正対象書類名】明細書
【補正対象項目名】実用新案登録請求の範囲
【補正方法】変更
【補正の内容】
【実用新案登録請求の範囲】
【請求項１】
炭入りシートをつけた生理用ナプキン。
【請求項２】
炭入りシートをつけたおりものナプキン。
【請求項３】
炭入りシートをつけた紙おむつ。
(57)【要約】　　　（修正有）【課題】コンピューターの使用者本人以外の視線を気にすることなく、また遮光を行いながらコンピューターを使用出来るようにする。【解決手段】コンピューター画面１の側面２に、取り外し可能又は収納可能で角度の調整も可能なブラインド３を設けた。【選択図】　図１
0003098715.tif 000002
【実用新案登録請求の範囲】
【請求項１】
コンピューター画面１の側面２に、コンピューター使用者以外の視線や、太陽光のような強い光の遮光を行う、ブラインド３を設ける。
【考案の詳細な説明】
【０００１】
【考案が解決使用とする課題】
コンピューター、特にノート型パソコンは、人目のある公共の場所や、太陽光のような強い光の当たる、飛行機や新幹線などの移動中に使用されることが多い。このような場所でのコンピューターの使用は横にいる人の視線が、とても気になっていた。また、太陽光のような強い光の遮光の必要性もあった。
【０００２】
【問題を解決するための手段】
コンピューターの使用者本人以外の視線を気にすることなく、また遮光を行いながらコンピューターを使用するという目的のために、コンピューター画面１の側面２に、必要に応じ、取り外し可能で角度の調整も可能な、ブラインド３を設ける。
【０００３】
【考案の効果】
コンピューター使用者以外の視線が気にならずに、公共の場所でもコンピューターが使用できるようになる。また、遮光の役目もあるため、外での使用や、窓際での使用がよりしやすくなる。
【図面の簡単な説明】
【図１】コンピューターの画面１の側面２にブラインド３を取り付けた斜視図である。
【図２】コンピューターの画面１の側面２にブラインド３をクリップ４で取り付けた斜視図である。
【図３】コンピューター画面１の側面２に溝５を設けた斜視図である。
【図４】ブラインド３の側面に溝５をはめる溝６を設けた斜視図である。
【図５】コンピューター画面１の溝５にブラインド３の側面の溝６をはめた、使用例の斜視図である。
【符号の説明】
１　コンピューターの画面
２　コンピューターの画面の側面
３　ブラインド
４　ブラインドをコンピューター画面横に固定するクリップ
５　コンピューター画面とブラインドを固定するための溝
６　コンピューター画面とブラインドを固定するための溝
【図１】
0003098715.tif 000003
【図２】
0003098715.tif 000004
【図３】
0003098715.tif 000005
【図４】
0003098715.tif 000006
【図５】
0003098715.tif 000007
【手続補正書】
【提出日】平成15年3月8日(2003.3.8)
【手続補正１】
【補正対象書類名】明細書
【補正対象項目名】実用新案登録請求の範囲
【補正方法】変更
【補正の内容】
【実用新案登録請求の範囲】
【請求項１】
コンピューター画面１の側面２に設けるブラインド３である。
【手続補正２】
【補正対象書類名】図面
【補正対象項目名】全図
【補正方法】変更
【補正の内容】
【図１】
0003098715.tif 000008
【図２】
0003098715.tif 000009
【図３】
0003098715.tif 000010
【図４】
0003098715.tif 000011
【図５】
0003098715.tif 000012
【手続補正書】
【提出日】平成15年7月14日(2003.7.14)
【手続補正１】
【補正対象書類名】明細書
【補正対象項目名】実用新案登録請求の範囲
【補正方法】変更
【補正の内容】
【実用新案登録請求の範囲】
【請求項１】
パソコン使用者以外の視線や太陽光のような強い光の遮光をするために、側面にブラインドをつけたパソコン。
(57)【要約】　　　（修正有）【課題】光触媒技術技術を利用し、空気中の匂いや有害物質を分解する事によって空気清浄効果を得る。【解決手段】二酸化チタ塗装された活性炭繊維と紫外線ランプで構成した強力な除臭装置であり、汚れた空気が二酸化チタン塗装された活性炭繊維の構成した空間４ａ，４ｂで、二酸化チタンの光触媒作用が紫外線ランプ４ｃの作用下で発揮させられ、有害ガスや匂いが光触媒に連続分解される事により空気清浄効果を得る。【選択図】図２
0003098717.tif 000002
【実用新案登録請求の範囲】
【請求項１】
活性炭繊維に二酸化チタンを塗布した光触媒基材
【請求項２】
請求項１に記載された光触媒基材を用いた除臭機能を強化した除臭装置
【考案の詳細な説明】
【０００１】
【考案の属する技術分野】
本考案は活性炭に光触媒技術を加え、除臭機能をさらに強化した生活空間の除臭装置に関するものである。
【０００２】
【従来の技術】
現在室内にいろいろな匂いを除去するには、芳香剤等化学物質が含まれている使い捨て消臭剤が主流となっている。これらの手法は何かを出して空気清浄されたというイメージを人々に与える手法である。
【０００３】
【考案が解決しようとする課題】
生活空間に使われる芳香剤や消臭剤等は使用量が多く、それに含まれている化学物質が二次汚染の元になっている。この何かを出して空気中の匂いを和らげる手法を変えて、活性炭繊維と光触媒の組合せにて、空気中の匂いや有害ガス等を吸収、分解する事によって、空気清浄効果を得る事は本考案が解決しようとする課題である。
【０００４】
【課題を解決するための手段】
二酸化チタンを塗装した活性炭繊維と紫外線ランプで構成された光触媒装置にて生活空間の有害ガス（匂い）を吸収分解する方法によって、空気清浄効果を得る事である。
【０００５】
【考案の実施形態】
四角箱の中に光触媒装置をおく。光触媒は活性炭繊維に二酸化チタンを塗布するものを２枚使用。光触媒（二酸化チタン塗装のある面）に紫外線ランプで照射し、二酸化チタン表面の電子の励起、正穴（ホール）を発生させる事により箱の中に「除臭」作業空間を形成させる。
光触媒の強力な分解能力を利用し、空気中の匂いや有害物質を連続して分解する事によって空気清浄効果を得る。空気の流れをよくさせ、光触媒の効率を高める為、装置にファンを設ける。
【０００６】
【実施例】
以下、添付図面に従って実施例を説明する。１は電源で、２の電源スイッチをＯＮにすると、装置が稼動し始める。汚れた空気が３から装置に入り、４の中にて光触媒装置に処理される（図２．「４の側面拡大図を参照」）。
光触媒装置は４ａと４ｂの二枚二酸化チタンに塗装された活性炭繊維及び４ｃ紫外線ランプで構成する。４ｃは４ａと４ｂの二酸化チタン表面を照射し、光触媒機能を起動させ、３から入ってきた汚れた空気を処理した後、ファンによる６の吹出口から吹出す。
【０００７】
体積が小さく省エネー設計により、本装置はそれぞれの部屋に設置する事が可能となり、それぞれの小空間の空気浄化によって、生活空間全体の健康、清潔を保つ事が出来る考えである
【考案実施の効果】
上記の様に、本装置をそれぞれの部屋に設置した結果、使用前より、空気品質がかなり改良され、密閉性のいい生活空間や塗装業作業場、新築住宅のシックハウス環境改善に役立つ。
【図面の簡単な説明】
【図１】本考案の正面及び側面外観図
【図２】本考案の光触媒装置部分内部側面図
【符号の説明】
１　電源
２　電源スイッチ
３　側面空気入口
４　光触媒装置部分
４ａ，４ｂ二酸化チタンが塗装された活性炭繊維
４ｃ紫外線ランプ
５　ファン
６　空気排出口
【図１】
0003098717.tif 000003
【図２】
0003098717.tif 000004
【手続補正書】
【提出日】平成15年4月3日(2003.4.3)
【手続補正２】
【補正対象書類名】明細書
【補正対象項目名】実用新案登録請求範囲
【補正方法】変更
【補正の内容】
【実用新案登録請求の範囲】
【請求項１】活性炭繊維に二酸化チタンを塗装した光触媒と紫外線ランプで構成する機能を強化した除臭装置




【手続補正書】
【提出日】平成15年7月10日(2003.7.10)
【手続補正２】
【補正対象書類名】明細書
【補正対象項目名】実用新案登録請求範囲
【補正方法】変更
【補正の内容】
【実用新案登録請求の範囲】
【請求項１】ニ酸化チタン（光触媒）を塗装した活性炭繊維と紫外線ランプからなる除臭
装置。
(57)【要約】　　　（修正有）【課題】時間経過に伴う粘着性の強弱を一定化し、乾燥にも随時対処でき、電極金属部分の形状を損なう可能性が減少する。【解決手段】脱脂綿２を２枚の不織布又はガーゼ１の間に挿入し、４辺を縫い合わせる。向かい合ったそれぞれの１辺を内側に折りポケット３とする。このポケット３に心電図四肢誘導電極の金属角部を挿入し装着する。生理食塩水又は蒸留水４を含ませ使用する。【選択図】　　図１
0003098725.tif 000002
【実用新案登録請求の範囲】
【請求項１】
心電図四肢誘導電極用のディスポーサブルパッドの素材を不織布又はガーゼ及び脱脂綿を用い生理食塩水又は蒸留水を含ませ電極金属角部を包括的に装着するものである。
【考案の詳細な説明】
【０００１】
【考案の属する技術分野】
本考案は、心電図四肢誘導電極用のディスポーサブルパッドの素材を不織布又はガーゼ及び脱脂綿を用い生理食塩水又は蒸留水を含ませ電極金属角部を包括的に装着したものである。
【０００２】
【従来の技術】
従来の心電図四肢誘導用ディスポーサブルパッドは、使用開始時は粘着性が非常に強く、被検者の四肢に粘着し、はがれにくい。又、使用が長時間に及んだり、被検者の人数が多数の場合は、乾燥が著しく心電図を測定する為の伝導性が著しく悪化する傾向があると思われる。
又、ガーゼや脱脂綿を心電図四肢電極に直接巻きつけたり、輪ゴム等で固定するものもあるがゴムが水分を吸収するため劣化したり、電極の金属部分の形状が変化したりする為故障を起こしかねない。
【０００３】
【本考案が解決しようとする課題】
心電図四肢誘導用ディスポーサブルパッドの素材を不織布又はガーゼ及び脱脂綿を使用し生理食塩水又は蒸留水を含ませることにより、時間経過に伴う粘着性の強弱を一定化し、乾燥にも随時対処でき、電極金属部分の形状を損なう可能性が減少する。
これらにより、心電図検査における伝導性が一定に保たれると考えられる。
【０００４】
【課題を解決するための手段】
不織布又はガーゼ及び脱脂綿を用い生理食塩水又は蒸留水を含ませた電図四肢電極用ディスポーサブルパッドは、使用時間の長短に係らず一定の心電図検査における伝導性が保たれ、電極本来の形状を変化させる事なく心電図検査の効率を高める事ができると考えられる。
【０００５】
【考案の実施の形態】
２枚の四角い不織布又はガーゼの間に脱脂綿を挿入し、その四辺をとめる。向き合った一辺をそれぞれ内側に折りポケットを作る。このポケットに心電図四肢電極金属部分の角部を挿入し装着させる。
生理食塩水又は蒸留水を含ませて使用する。
【０００６】
【実施例】
以下添付図面に従って１実施例を説明する。
１は２枚の不織布又はガーゼである。　２の脱脂綿を１の２枚の不織布又はガーゼの間に挿入し、４辺を縫い合わせる。向かい合ったそれぞれの１辺を内側に折り３のポケットとする。この３のポケットに心電図四肢誘導電極の金属角部を挿入し、装着し生理食塩水又は蒸留水を含ませ使用する。
【０００７】
【考案の効果】
上述の様に本考案の不織布又はガーゼ及び脱脂綿を用い生理食塩水又は蒸留水を含ませた心電図四肢電極用ディスポーサブルパッドは、使用時間の長短に係らず一定の心電図検査における伝導性が保たれ、電極本来の形状を変化させる事なく心電図検査の効率を高める事ができると考えられる。
【図面の簡単な説明】
【図　１】本考案の不織布又はガーゼ及び脱脂綿を用い生理食塩水又は蒸留水を含ませた心電図四肢誘導用ディスポーサブルパッドの一実施例を示す図である。
【符号の説明】
１．２枚の不織布又はガーゼ
２．脱脂綿
３．ポケット
４．生理食塩水又は蒸留水
【図１】
0003098725.tif 000003
【手続補正書】
【提出日】平成15年7月22日(2003.7.22)
【手続補正１】
【補正対象書類名】明細書
【補正対象項目名】実用新案登録請求の範囲
【補正方法】変更
【補正の内容】
【実用新案登録請求の範囲】
【請求項１】
心電図四肢誘導電極の皮膚接触面に取り付けるディスポーサブルパッドであって、脱脂綿を内包した四角い不織布又はガーゼの二辺に折り返しをつけることにより電極から脱落しないという特徴を有するディスポーサブルパッドである。
(57)【要約】　　　（修正有）【課題】屋根、屋上の塗装、防水工事に於ける下地処理（高圧洗浄）時に近隣に飛び散る汚水の防止と作業の迅速化を可能とする簡易飛散防止器具を提供する。【解決手段】本体枠１とコの字枠を勾配調整固定ピン３により枢着し本体枠下部に段差解消スポンジを設け、コの字枠上部に落下防止ロープ２を設け、屋根勾配に合わせ、本体枠とコの字枠の角度を可変とした。【選択図】図１
0003098727.tif 000002
【実用新案登録請求の範囲】
【請求項１】
あらゆる屋根勾配（傾斜）にも対処し手軽に移動可能な開閉式の簡易飛散防止器具。
【考案の詳細な説明】
【０００１】
【考案の属する技術分野】
屋根、屋上の塗装、防水工事に於ける下地処理（高圧洗浄）時に飛び散る汚水（ドロ、コケ等）の飛散防止に関するものである。
【０００２】
【従来の技術】
施工現場の四方に仮設足場を架け飛散防止ネットを張ったり、テントをするなど、高圧洗浄時の汚水飛散防止対策をしていた。
【０００３】
【本考案が解決しょうとする課題】
従来の方法では、経済的負担や施主近隣苦情も多く出る為、手元で操作出来る器具で、前述の欠点を解決しょうとするものである
【０００４】
【考案が解決するための手段】
手軽に作業及び移動可能な簡易的飛散防止器具を作る事に依り問題を解決している。
【０００５】
【実施例】
以下添付図面に従って一実施例を説明する
屋根の勾配に応じ、勾配調整ピン（図１−▲３▼）で調整する。
【０００６】
落下防止ロープ（図１−▲２▼）を首からかけ（図２）洗浄を開始し、次の箇所へと移動していく
【０００７】
作業が終れば、勾配調整ピン（図１−▲３▼）を解除し一枚物（図３）として、持ち運び便利に閉じる事が出来る。
【図面の簡単な説明】
【図１】本考案の簡単飛散防止器具である
【図２】屋根洗浄時の鳥観図である。
【図３】閉じた状態
【符号の説明】
▲１▼　本体枠
▲２▼　落下防止ロープ
▲３▼　勾配調整固定ピン
▲４▼　メッシュシート
▲５▼　段差（隙間）解消スポンジ
▲６▼　スベリ止メゴム
【図１】
0003098727.tif 000003
【図２】
0003098727.tif 000004
【図３】
0003098727.tif 000005
【手続補正書】
【提出日】平成15年7月23日(2003.7.23)
【手続補正１】
【補正対象書類名】明細書
【補正対象項目名】実用新案登録請求の範囲
【補正方法】変更
【補正の内容】
【実用新案登録請求の範囲】
【請求項１】
屋根の洗浄に使用する簡易飛散器具であって本体枠とコの字枠を勾配調整固定ピンにより枢着し本体枠下部に段差解消スポンジを設け　コの字枠上部に落下防止ロープを設け、屋根勾配に合わせ、本体枠とコの字枠の角度を可変とした簡易飛散防止器具。
(57)【要約】　　　（修正有）【課題】ゴルフのパッティングにおいて、打球面がブレたとしても、狙ったところへ転がり、カップインの確率を上げるパタークラブを提供する。【解決手段】打球面３が丸みを帯び、下方部が丸みを帯びたクラブヘッド１を有することを特徴としたパタークラブ。【選択図】　図３
0003098721.tif 000002
【実用新案登録請求の範囲】
【請求項１】
クラブヘッドの打球面において、水平方向に丸みをおびている（球面）ことを特徴とするパタークラブ
【請求項２】
クラブヘッドの打球面において、下方部が垂直方向に丸みをおびていることを特徴とするパタークラブ
【請求項３】
上記請求項１、２を満たしたパタークラブ
【考案の詳細な説明】
【０００１】
【考案の属する技術分野】
本考案は、ゴルフのパッティングにおいて使用するパタークラブに関するものである。
【０００２】
【従来の技術】
パタークラブとは、グリーン上において、ホールアウトするべくボールをカップに沈めるために、ボールを転がすためのクラブである。従って、他のクラブのように打球面に角度はなく、ほぼ水平垂直に平面な打球面を有することが普通であった。
【０００３】
【考案が解決しようとする課題】
しかしそのようなパタークラブでパッティングを行う場合、スイングの最下点で、また打球面の中央にてボールをヒットするのが望ましいのであるが、熟練のゴルフプレーヤーでもそれは難しいものである。
【０００４】
また、打球面と転がす方向（狙った点）とは、垂直関係であることが必要であるが、スイングという動きの中でそれは崩れてしまうことがおおく、その結果、思ったところにボールが転がらないという問題点があった。
【０００５】
そして、打球面の下方部でボールを打ってしまった場合、ボールをすくいあげる様になってしまい、その結果、ボールは僅かであるが浮き上がり弾んでから転がることとなり、打球の勢いは弱められまた方向性も失われてしまう。すると、狙いどおりにボールは転がらないという問題点があった。
【０００６】
本考案の目的は、前述の問題点を解消するべく、打ち出す瞬間に打球面に多少のズレが生じても、狙ったところにボールが転がすことのできるパタークラブを提供することにある。
【０００７】
【問題を解決するための手段】
本考案は、前記目的を達成するため、クラブヘッドの打球面を水平方向に丸みを持たせること、および、打球面下方部を垂直方向に丸みを持たせることを要旨とするものである。
【０００８】
【考案の実施の形態】
請求項１記載の本考案によれば、図３に示すように打球面が丸みを帯びているため、パッティングのインパクトの瞬間の打球面とボールとの接点は、たとえ打球面が左右にブレたとしても常にボールの後方に近い点に集中する（図５）。このことはつまりは、いつも同じ球筋で打ち出すことができるということである。
【０００９】
請求項２記載の本考案によれば、図４に示すように下方部が丸みを帯びているため、スイング軌道の最下点を過ぎてからの打球に関してであるが、図６・図７に示すように力の作用は、上方ではなく、前方へとかかるためボールは弾むことなく転がる。
【００１０】
また、スイング軌道と同じ球面で打ち出すことにより、ボールに対して擦り上げる力が発生する。そのため、ボールには順回転がかかるため、打ち損じているこの状態にあっても、打球の勢いはある。ただし、この作用は通常の打球においても作用する。
【００１１】
【考案の効果】
以上のことから、本考案のパタークラブを使用すると、打ち出しの際からボールが弾むことなく順回転がかかるようになる。また、打球面が左右にブレた（フェイスがかぶる、外を向く）場合でも、ボールは狙った方向に打ち出される。したがって、ボールの順回転と安定した方向性により、カップインの確立が格段にアップするものと思われる。
【図面の簡単な説明】
【図１】本考案のパタークラブの上からの図である。
【図２】本考案のパタークラブの正面からの図である。
【図３】本考案のパタークラブの側面からの図である。
【図４】本考案のパタークラブの後方からの図である。
【図５】従来のパタークラブを用いてパットした際の作用を示す図である。
【図６】本考案のパタークラブを用いてパットした際の作用を示す図である。
【図７】従来のパタークラブの打球のインパクトの瞬間を示す図である。
【図８】本考案のパタークラブの打球のインパクトの瞬間を示す図である。
【符号の説明】
１クラブヘッド　２シャフト　３打球面　４地面（グリーン）
５ボール　６スイングの方向ベクトル　７反発力の方向ベクトル
８打球の進む方向ベクトル　９摩擦力
【図１】
0003098721.tif 000003
【図２】
0003098721.tif 000004
【図３】
0003098721.tif 000005
【図４】
0003098721.tif 000006
【図５】
0003098721.tif 000007
【図６】
0003098721.tif 000008
【図７】
0003098721.tif 000009
【図８】
0003098721.tif 000010
(57)【要約】　　　（修正有）【課題】両サイド外側がワンタッチで分解できるのでトイレの時、着替えの時は簡単に出来る。【解決手段】制作の段階で縫製などコストの削減が出来商品が格安に出来る。【選択図】　図１
0003098726.tif 000002
【実用新案登録請求の範囲】
【請求項１】
ツナギ服の両サイド外側縫い目部分に足の裾先から腕の袖先まで１本の長いフッワスナを取り付ける。
【考案の詳細な説明】
【０００１】
【考案が解決しようとする課題】
トイレ、とか着替え時、簡単に出来る。
【０００２】
【課題を解決するための手段】
前部センター部分の作業を短縮し縫製が簡単に出来る。
【０００３】
【考案の効果】
従来のツナギ服は、トイレなどの際上半身を脱ぎ大変ですが、考案のツナギ服は、チャク、ワンタッチで簡単にできる。
【図面の簡単な説明】
【図１】ツナギ服の正面図である。
【符号の説明】
１　　フアスナーの取り付け部分。
【図１】
0003098726.tif 000003
【手続補正書】
【提出日】平成15年7月15日(2003.7.15)
【手続補正１】
【補正対象書類名】明細書
【補正対象項目名】実用新案登録請求の範囲
【補正方法】変更
【補正の内容】
【実用新案登録請求の範囲】
【請求項１】
ツナギ服の両サイド外側縫い目部分に足の裾先から腕の袖崎まで１本の長いファスナーを取り付けた、ワンタッチ分解型ツナギ服。
(57)【要約】　　　（修正有）【課題】歯ブラシ、コップ、歯磨き粉の収納、持ち運びを可能にするケースを提供する。【解決手段】ビニールを紐に縫い２本を縫い合わせ、５の歯ブラシ立てを作り、後部はコップが転がらないように円柱状にする。出し入れを便利にするため、開口部は中央で左右に開けるようにする。ケースの形を崩れにくくするため後ろ中央で縫い合わせ折り返し再度縫い、底面と側面を、また底面の前部もビニールのテープで包み縫ってある。中の歯磨きセットが落ちないように開口部を閉めた時、底面の前部が内側へ折れる。扉には３のマジックテープと１のマグネットボタンを取り付け、美しく見せるため、マグネットボタンの裏には２のアメリカンホックのボタンを付ける。ストラップを付けて持ち運びをよくするため４のハトメを付ける。【選択図】　　図１
0003098724.tif 000002
【実用新案登録請求の範囲】
【請求項１】
これは、歯ブラシ、コップ、歯磨き粉の収納、持ち運びを可能にしたケース。
【考案の詳細な説明】
【０００１】
【考案が解決しようとする課題】
従来、袋やケース内では、歯ブラシやコップを整理し、収納がすることできなかった。また、出し入れが不便で、中のものを落としやすいという問題を有していた。
【０００２】
【課題を解決するための手段】
上記目的を達成するために、歯ブラシ立てを付けました。歯ブラシ立ては、ビニールを紐に縫い２本を縫い合わせてあります。また、後部は、コップが転がらないように円柱状にしました。出し入れを便利にするため、開口部は中央で左右に開けるようにしました。ケースの形を崩れにくくするため後ろ中央で縫い合わせ折り返し再度縫ってあります。底面と側面を、また底面の前部もビニールのテープで包み縫ってあります。中の歯磨きセットが落ちないように開口部を閉めた時、底面の前部が内側へ折れるようにしました。扉にはマジックテープとマグネットボタンを取り付けました。美しく見せるためマグネットボタンの裏にアメリカンホックのボタンを付けてあります。ストラップを付けて、持ち運びやすくするためハトメを付けてあります。
【００３】
【考案の効果】
このケースに入れることにより整理収納することができ、簡単に持ち運びが可能になった。
【図面の簡単な説明】
【図１】開口部を開けた状態の斜視図である。
【図２】斜視図である。
【図３】後方から見た斜視図である。
【図４】ケース内の断面図である。
【図５】使用状態を表す参考図である。
【符号の説明】
１マグネットボタン
２アメリカンホックのボタン
３マジックテープ
４ハトメ
５歯ブラシ立て
【図１】
0003098724.tif 000003
【図２】
0003098724.tif 000004
【図３】
0003098724.tif 000005
【図４】
0003098724.tif 000006
【図５】
0003098724.tif 000007
【手続補正書】
【提出日】平成15年5月7日(2003.5.7)
【手続補正１】
【補正対象書類名】明細書
【補正対象項目名】実用新案登録請求の範囲
【補正方法】変更
【補正の内容】
【実用新案登録請求の範囲】
【請求項１】
ビニールを縫い合わせ、その両端をケースの内側につけたブラシ立て。
【請求項２】
後部は円柱状で、開口部は中央で開けられるようにしました。開口部を閉めた時、底面の前部が内側におれるようにしました。扉には、マジックテープとマグネットボタンをとりつけました。以上のように構成したケース。
【手続補正書】
【提出日】平成15年7月23日(2003.7.23)
【手続補正１】
【補正対象書類名】明細書
【補正対象項目名】実用新案登録請求の範囲
【補正方法】変更
【補正の内容】
【実用新案登録請求の範囲】
【請求項１】
後部は円柱状で、中央の開口部の扉には面ファスナーとマグネットボタンを取り付け、底面の前部が内側に折れるように構成した歯磨きセット入れケース。
【請求項２】
ビニール紐で、できたブラシ立ての両端を内側に取り付けた請求項１に記載の歯磨きセット入れケース。
(57)【要約】【課題】本考案は荷重を分散させて耐荷重にした吸盤付きフックである。【解決手段】本考案はフック部分に壁面に接する突起を作り、荷重が垂直方向だけでなく水平方向に分散させて耐荷重にした。【選択図】　図１
0003098730.tif 000002
【実用新案登録請求の範囲】
【請求項１】
フック部分に壁面と接する突起を作り、この突起が支点となって荷重の分散を施した吸盤付きフック
【考案の詳細な説明】
【０００１】
【考案の属する技術分野】
本考案は、フック部分に支点となる突起を設けた吸盤付きフックに関するものである。
【０００２】
【従来の技術】
従来の吸盤付きフックのフックは単に吊り下げるだけのものであった。
【０００３】
【考案が解決しようとする課題】
より大きい荷重に耐えるように荷重の分散を図った。
【０００４】
【課題を解決するための手段】
本考案は、フック下部に壁面に接するように突起を作り、この突起が支点となって荷重が吸盤に対して垂直方向だけでなく水平方向にも分散されるようにした。さらに突起の壁に接する部分にはゴム材等を用い、摩擦力を強化した。
【０００５】
【考案の実施の形態】
添付図面に従って実施の形態を説明する。Ａ点、Ｂ点、Ｃ点が二等辺三角形の頂点になるように配置し、Ｂ点に荷重をかけたとき支点となるＣ点が壁面を押す圧力が十分になるようにした。
【図面の簡単な説明】
【図１】本考案を壁面に設置した状態を横から見た図である。
【図１】
0003098730.tif 000003
(57)【要約】　　　（修正有）【課題】磁石を健康器具として多く商品化されているが、磁石の取り付け取り外しを簡単にできるように、磁石とマジックテープを合体させることにより、新しい方法を提供する。【解決手段】小型の円盤状磁石２をプラスチックケース１，３に包み、片面にマジックテープ４を取り付けることであらゆる部分に取り付け、取り外しが自由自在にできるものである。【選択図】　　図２
0003098722.tif 000002
【実用新案登録請求の範囲】
【請求項１】
磁石をプラスチックのケースに包み、片面にマジックテープの（オス）の部分をつけたもので、色々な物に簡単に取り付け、取り外しができる。形態の磁石である。。
【考案の詳細な説明】
【０００１】
【考案の属する技術分野】
永久磁石を円盤型１０ｍｍ厚さ１．５ｍｍのものを円盤型プラシチックケース（２０ｍｍ、厚さ４．２ｍｍ）の中に入れ、磁石が直接肌に触れないようにした、又、全部の重さも１個１ｇ弱と軽量にしたこと、色彩が豊富で６色を基本色として、１２色まで可能にしていること、磁石とケースを円盤型にしたことにより、身体のどんな部分でも取付可能な装具が作成できる方法を考案したものである。
【０００２】
【従来の技術】
今までの知識の中で磁石の健康器具として大量に商品化されております。従来型、ネックレス、ピップ、マクラ、フトン、腰ベルト、手首、ブレスレット、足首ブレス等などの種類が多数ありましたが、ほとんどが磁石を直接に肌に貼りつけるか磁石そのものを布製、皮製、ビニール製の物で包んでいる、身体部分に装着もある程度場所が限られているものである。
【０００３】
【考案が解決しようとする課題】
永久磁石を円盤型１０ｍｍで厚さ１．５ｍｍ物をプラスチックのケース円盤型２０ｍｍ厚さ４．２ｍｍ物で包み込む事より磁石が直接肌に触れないで、血流の悪い人で、アレルギー体質の人でも使用ができる。磁石は円盤型１０ｍｍ厚さ１．５ｍｍと小さい物ですが、表面磁束密度０．１３（Ｔ）約１３００ガウスにしたことより効果が良くなったこと、１個の重さが１ｇ弱と軽量にしたことと円盤型にしたことより角度が自由に取付けられるので、身体に負担が少ない装着品を作成できる物である。
【０００４】
【課題を解決するための手段】
円盤型化と軽量化と小型化と色彩化したこと、磁束密度１３００ガウスとしたことにより、血流促進の効果を良くしたこと身体部分の特に装着の取付が難しい部分にも可能にしたことでプラスチックで包んだ磁石の片面にマジックテープの（オス）の部分を取り付けたことで自由自在に取り付け取り外しができる、さらに今までは装具にはない磁石と装具に豊富なカラーバリエーション６〜１２色とアクセサリーなみに楽しみながら身に着けられるものである。
【０００５】
【考案の実施の形態】
まず、図面によって説明する。図１について説明すると、図１は平面図である。図１の１は、上蓋でＡＢＣ透明樹脂で磁石を包むケースである、直径１０ｍｍ、厚さ１．５ｍｍの円盤型、表面磁束密度０．１３（Ｔ）約１３００ガウスで、金メッキをしてある。図２の３はＡＢＣ透明樹脂で下蓋、カラー色が６〜１２種類である。図１の４はマジックテープ（オス）でマジックテープ（メス）の取付けられたものには、何処でも自由に固定ができる物である。
【０００６】
【実施例】
円盤型の磁石をプラスチックで包みこみ、片面にマジックテープ（オス）を取り付ける。磁石を必要とする場所に、マジックテープ（メス）を付けると、磁石が小型なので、自由自在に取り付け取り外しができるものである。
【０００７】
【考案の効果】
例えば、現在において、磁石を応用した商品は数多くありますが、身体の取付け場所では限られております。本考案は、身体のあらゆる場所、体型に合せた衣類や下着等などに磁石を装着できるので、睡眠中の使用だけでなく、仕事や外出中でも使用が可能になるものである。
【図面の簡単な説明】
【図１】円盤型磁石と、その磁石をプラスチックケース（ＡＢＣ透明樹脂）で円盤型の中に包み込んだ平面図の構造を表した図である。
【図２】円盤型磁石と、その磁石を、プラスチックケース（ＡＢＣ透明樹脂）で円盤型の中に包み込んだものと片面にマジックテープ（オス）を張り付けた断面図の構造を表した図である。
【符号の説明】
１．プラスチック上蓋
２．永久磁石
３．プラスチック下蓋
４．マジックテープ（オス）
【図１】
0003098722.tif 000003
【図２】
0003098722.tif 000004
【手続補正書】
【提出日】平成15年4月24日(2003.4.24)
【手続補正１】
【補正対象書類名】明細書
【補正対象項目名】実用新案登録請求の範囲
【補正方法】変更
【補正の内容】
【実用新案登録請求の範囲】
【請求項１】
磁石をプラスチックケースに包んだ裏面に「マジックテープ（登録商標）」オスをはりつけた形態の磁石である。
【手続補正書】
【提出日】平成15年7月7日(2003.7.7)
【手続補正１】
【補正対象書類名】明細書
【補正対象項目名】実用新案登録請求の範囲
【補正方法】変更
【補正の内容】
【実用新案登録請求の範囲】
【請求項１】
磁石をプラスチックケースに包んだ面に「接着ファスナー」をはりつけた形態の磁石である。
(57)【要約】　　　（修正有）【課題】１つの容器で２種類の麺類を味わえるようにする。【解決手段】現状の麺類容器２中央部に境となる壁１を設ける。また、重ねられるという現状の容器の利便性を保つため、麺類容器を凹凸にする。【選択図】図１
0003098723.tif 000002
【実用新案登録請求の範囲】
【請求項１】
現状の麺類容器中央部に境となる壁を設け、１つの容器で汁が混ざり合うことなく、２種類を味わえることを特徴とする。また、重ねられるという現状の容器の利便性を保つため、麺類容器を凹凸にする。
【考案の詳細な説明】
【０００１】
【産業上の利用分野】
この考案は、ラーメン店のどんぶり、麺類製造業のカップ容器等に利用出来る麺類容器に関する。
【０００２】
【考案が解決しようとする課題】
現在、麺類業界において、多種多様の味が存在している。そういった状況の中で消費者は、例えば、「味噌味も食べたいが醤油味も食べたい」といった欲求に直面する。そのような欲求を満たすためには現状では、２つを食べる等の方法があったが、２つは多すぎるといった問題を有していた。
【０００３】
【課題を解決するための手段】
上記目的を達成するために、現状の麺類容器中央部に境となる壁を設ける。また、重ねられるという現状の容器の利便性を保つため、麺類容器を凹凸にする。
【０００４】
【考案の効果】
この麺類容器を使用することで、１つの容器で汁が混ざり合うことなく消費者が２種類の麺類を味わえる。
【図面の簡単な説明】
【図１】麺類容器の斜視図である。
【図２】麺類容器の断面図である。
【符号の説明】
１　境となる壁（凸部分）
２　麺類容器
３　麺類容器の凹部分
【図１】
0003098723.tif 000003
【図２】
0003098723.tif 000004
【手続補正書】
【提出日】平成15年4月28日(2003.4.28)
【手続補正２】
【補正対象書類名】明細書
【補正対象項目名】実用新案登録請求の範囲
【補正方法】変更
【補正の内容】
【実用新案登録請求の範囲】
【請求項１】
現状の麺類容器中央部分に境となる壁を設けるを特徴とする。
【手続補正書】
【提出日】平成15年7月9日(2003.7.9)
【手続補正２】
【補正対象書類名】明細書
【補正対象項目名】実用新案登録請求の範囲
【補正方法】変更
【補正の内容】
【実用新案登録請求の範囲】
【請求項１】
中央部分に境となる壁がある麺類容器。
(57)【要約】　　　（修正有）【課題】一度に絞りきるのでなく、必要なだけ果汁を搾り取れ、且つ残りは無駄なく簡単にそのまま保存が出来る受け皿型レモン絞り器の提供。【解決手段】レモン汁受け皿上に薄く小さめの絞り用刃を複数枚形成し、果肉が保持出来る隙間を形成させる。【選択図】図１
0003098729.tif 000002
【実用新案登録請求の範囲】
【請求項１】
レモン汁を絞りとる為の薄い刃を等角度に複数持ち、その搾り取った果汁を受ける皿があるレモン絞りであって、刃と刃の間に果肉を保存する隙間を有しているので、果汁が必要な時に、必要な量だけ、捻って搾り取る事が可能になり、且つレモンの端が受け皿と密接するので、果汁の乾燥を防いで果汁を保持したまま、レモンの皮をキャップとして利用して保存可能になる。
【考案の詳細な説明】
【０００１】
【考案の属する技術分野】
本考案は、絞り部分の形状を工夫することにより、レモンの皮をそのまま保存キャップとして利用出来るようにして、使用時に必要なだけ、新鮮な果汁を、簡単かつ無駄なく絞り出せ、かつ残りをそのまま簡単に、保存出来ることを可能にした受け皿タイプのレモン絞り器に関するものである。
【０００２】
【従来の技術】
従来の、受け皿型レモン絞り器の構造は、果汁を絞りきるときは問題が無かつたが、一回で絞り汁を使用しないとき、絞りきって果汁を別の容器に移してしまっておくか、絞りきらない残りのレモンをラップに包んで、保存しておくしかなかった。
【０００３】
【考案が解決しようとする課題】
必要な時、必要なだけ果汁を利用でき、絞りきってないレモンをそのまま保存できるレモン絞り器である。
【課題を解決する手段】
【０００４】
上記の問題を解決する為に、本発明は、受け皿上に、薄く小さな刃を等角度に設置して隙間を作り、果肉、果汁、種がその隙間に残存出来るようにした。
【考案の実施の形態】
【０００５】
本考案は、レモン絞り器の受け皿に、薄くレモンより少し小さめの絞り用刃を複数枚等間隔に成型したものである。
【０００６】
上記の構造は、レモンの大きさよりもやや刃の部分を小さめにし、レモンが受け皿にぴったり接するようにしたほうが、乾燥も防ぎ、かつ種が出にくいので、効果的である。
【０００７】
【実施例】
実施例について図面を参照して説明すると、図１、２において、受け皿上に、複数の絞り用の薄い刃を成型する。
【０００８】
【考案の効果】
本考案は以上説明したような形態で実施され、以下の記載されるような効果を持つ。
【０００９】
受け皿型レモン絞り器でありながら、レモン汁の保存容器としても使用できる。
【００１０】
必要なだけ、果汁を搾り取れる。
【００１１】
レモンの皮をそのまま利用するので、保存のためにフタがいらない。
【００１２】
レモンの皮の内側に果肉としてそのまま果汁を保存できるので、なにより新鮮。
【００１３】
使う量も、保存の仕方もレモンの皮を有効利用することにより、全く無駄がないので、エコロジーである。
【００１４】
見た目も受け皿の上にレモンがぴったり収まり美しい。
【００１５】
レモン側にそのまま果汁は保存し、必要なだけ果汁を絞るので、受け皿がコンパクトになる。
【００１６】
レモンの端がぴったし受け皿に接するので、種はそのまま内部に残存し、果汁だけを利用できる。
【図面の簡単な説明】
【図１】本考案のレモン絞り器の実施例を示す平面図である。
【図２】本レモン絞り器の一部切欠断面図である。
【符号の説明】
１　果肉、果汁保持部
２　注ぎ口
３　レモン外形想像線
４　搾り取り用刃
【図１】
0003098729.tif 000003
【図２】
0003098729.tif 000004
(57)【要約】　　　（修正有）【課題】従来の甘さ一辺倒の大福餅に、カレーの風味と辛さを添加することによって、新しい食感と味覚を得る。【解決手段】カレー粉１を混入して煮込んだこし餡２を、餅３の中心部に詰め込んで大福餅Ｘとすると共に、該カレー粉１の混入度合をピンクＡ、ホワイトＢ、グリーンＣの三色に着色色分けして三色カレー大福餅とした。【選択図】　　図１
0003098451.tif 000002
【実用新案登録請求の範囲】
【請求項１】
カレー粉（１）を混入して煮込んだこし餡（２）を、丸い餅（３）の中心部に詰め込んだ大福餅（Ｘ）とすると共に、該カレー粉（１）の混入度合をピンク（Ａ）、ホワイト（Ｂ）、グリーン（Ｃ）の三色に着色色分けしたことを特徴とする三色カレー大福餅。
【考案の詳細な説明】
【０００１】
【考案の属する技術分野】
本考案は、和菓子の一種である大福餅に関するものである。
【０００２】
【従来の技術】
従来、上記大福餅はこぶし大の大きさの柔らかい餅の中心部に、ひとまわり小さい甘いこし餡を詰め込んで製造されている。また近頃は、イチゴ大福餅や雪見大福餅なども製造販売されている。
【０００３】
【考案が解決しようとする課題】
ところで上記大福餅は、甘さ一辺倒であって甘党以外の人には受け入れられない。また、最近のグルメブームでは人々の味覚が多様化しているので、甘さ一辺倒の大福餅ではあきたりない人が多くなっている。
【０００４】
【課題を解決するための手段】
そこで本考案は、上記大福餅の中の甘いこし餡に少量のカレー粉を混入することによって、甘さのなかにもぴりっとしたアクセントのある新しい味覚の大福餅を提供するものである。
【０００５】
【考案の実施の形態・実施例】
重量比で１０パーセントないし３０パーセント程度のカレー粉（１）を混入して煮込んだこし餡（２）を、こぶし大の柔らかい餅（３）の中心部に詰め込んでなる。この時、カレー粉を１０パーセント程度混入したものを甘辛とし、その餅の色をピンク（Ａ）としてある。またカレー粉を２０パーセント程度混入したものを中辛とし、その餅の色をホワイト（Ｂ）としてある。更にカレー粉を３０パーセント程度混入したものを激辛とし、その餅の色をグリーン（Ｃ）としてある。この餅（３）の着色は微量の食用着色剤を使用すればよい。
【０００６】
従って、三色の大福餅の中から自分の好みの甘辛さを選んで食することができる。甘い餡とカレーの辛さがミックスした独特の風味と味覚を賞味できる。食べたあとの口中もさわやかで食欲をそそるものである。
なお、前記こし餡（２）は、砂糖と餡とカレー粉を弱火で長時間煮込み練り上げたものを、２〜３日冷蔵庫内でねかすとまろやかな味になる。
主食がわりにもなるし、おやつやホームパーティーなどにもきれいに盛り付けして提供できる。
【０００７】
【考案の効果】
従来の甘さ一辺倒の大福餅に、カレーの風味ある辛さを加えることによって、独特の新しい味覚が生まれ多様化したグルメ指向の人達にもアッピールできる。また、甘辛さの程度を三色の色分けによって一目で分かるようにしてあるから好みのものを迷わず選んで食することができる有益考案を提供するものである。
【図面の簡単な説明】
【図１】本考案三色カレー大福餅の断面図
【図２】本考案三色カレー大福餅の盛り付けした状態を示す斜視図
【符号の説明】
１　　　　カレー粉
２　　　　こし餡
３　　　　餅
Ａ　　　　ピンク色大福餅
Ｂ　　　　ホワイト色大福餅
Ｃ　　　　グリーン色大福餅
Ｘ　　　　三色カレー大福餅
【図１】
0003098451.tif 000003
【図２】
0003098451.tif 000004
(57)【要約】【課題】医薬品業界や食品業界における水っぽい目的物を取り扱う場合には、底部から水がしたたり落ちるなどの問題を生ずることなく、また、底部の緊締方法についても、更に簡便な方法を提供すること【解決手段】方形の下部排出型フレキシブルコンテナにおいて、その外側面中位乃至下部に、面ファスナーを有する底部固定用蓋布を装着し、相対する外側面中位乃至下部に固定用面ファスナーを装着したことを特徴とするフレキシブルコンテナ。下部のハカマ部は特に締め付け・固定などの操作を必要とせず、単にロール状に折り畳むことによって密閉状態とされ、底部固定用蓋布で覆われ、相対する外側面の固定用面ファスナーによって底部は固定される。【選択図】　図１
0003098455.tif 000002
【実用新案登録請求の範囲】
【請求項１】
方形の下部排出型フレキシブルコンテナにおいて、その外側面中位乃至下部に、面ファスナーを有する底部固定用蓋布を装着し、相対する外側面中位乃至下部に固定用面ファスナーを装着したことを特徴とするフレキシブルコンテナ。
【考案の詳細な説明】
【０００１】
【考案の属する技術分野】
本考案は、フレキシブルコンテナに関する。
【０００２】
【従来の技術】
一般的なフレキシブルコンテナは、熱可塑性樹脂よりなる延伸織布の両面に熱可塑性樹脂系フィルムを積層した積層シ−ト又はゴム引き布で立方体状、直方体状又は円筒状に構成され、その上面に注入口、下面に排出口が、また、上面乃至側面に吊り下げベルトがそれぞれ設けられており、配合飼料、肥料、合成樹脂ペレット、尿素、芒硝又は塩化マグネシウム等の化学薬品などの粉状もしくは粒状の輸送袋として利用されている他、医薬品業界においては種々の生薬の抽出残査の処理、食品業界においてはお茶やコーヒーなどの抽出残査の処理などにも用いられている。そして、多くのフレキシブルコンテナの排出口は筒状をしており、通常面ファスナ−を付けたベルトの一端が排出口に取り付けられている。このベルトを緊締して排出口を閉じ袋本体に折り込まれ、その表面を覆蓋で覆った状態で内容物が充填されている。
【０００３】
円筒状のフレキシブルコンテナは、その底面をベルトなどで緊締して排出口を閉じるため、簡便な操作で底面を閉じることができる反面、密閉状態とすることは困難であり、前記のように更に袋本体に折り込まれ、表面を覆蓋で覆う必要があった。
【０００４】
そのようにきっちりと固定された円筒型フレキシブルコンテナにおいても、医薬品業界や食品業界における水っぽい目的物を取り扱う場合には、底部から水がしたたり落ちるなどの問題を生ずることがあった。また、底部の緊締方法についても、種々のバルブやフランジを使用して固定化することが試みられているが、操作が煩雑となるため、更に簡便な方法が求められていた。
【０００５】
【考案が解決しようとする課題】
したがって本願考案の目的は、医薬品業界や食品業界における水っぽい目的物を取り扱う場合には、底部から水がしたたり落ちるなどの問題を生ずることなく、また、底部の緊締方法についても、更に簡便な方法を提供することにある。
【０００６】
【課題を解決するための手段】
かかる目的を達成するための考案は、方形の下部排出型フレキシブルコンテナにおいて、その外側面中位乃至下部に、面ファスナーを有する底部固定用蓋布を装着し、相対する外側面中位乃至下部に固定用面ファスナーを装着したことを特徴とするフレキシブルコンテナである。
【０００７】
【考案の実施の形態】
以下、本考案の構成を図１及び２に示す実施の形態に即して説明する。
図１は、本考案のフレキシブルコンテナの使用前の形態を示す斜視図である。下部の排出口は方形に開放されており、その外側面中位乃至下部に、面ファスナーを有する底部固定用蓋布を装着してある。
【０００８】
図２は、本考案のフレキシブルコンテナの、底部を緊締したときの斜視図である。下部のハカマ部は特に締め付け・固定などの操作を必要とせず、単にロール状に折り畳むことによって密閉状態とされる。
【０００９】
図３は、本考案のフレキシブルコンテナの底部を固定したときの斜視図である。折り畳まれたハカマ部を底部固定用蓋布で覆い、相対する外側面の固定用面ファスナーによって固定される。本考案のフレキシブルコンテナは、直方体であるためステンレス製の網かごなどにフィットして設置することも可能であり、取り扱いに便利である。なお、この様にして装着された本考案のフレキシブルコンテナは、中身を充填され、上部を覆われ、吊り下げベルトなどにより吊り下げられ、移動する。移動中においても、底部は完全に密封状態であるため、水がしたたり落ちてくるようなことはない。充填された目的物を排出する際は、底部固定用蓋布の面ファスナーをはずすだけで、簡便、かつ、確実に排出することができる。
【００１０】
【考案の効果】
以上説明した形態により、本考案のフレキシブルコンテナは、医薬品業界や食品業界における水っぽい目的物を取り扱う場合には、底部から水がしたたり落ちるなどの問題を生ずることなく、また、簡便な方法で底部を緊締することができ、更に目的物を排出する際においても簡便、かつ、確実に排出することができる。
【図面の簡単な説明】
【図１】本考案のフレキシブルコンテナの使用前の形態である。
【図２】本考案のフレキシブルコンテナの、底部を緊締したときの斜視図である。
【図３】本考案のフレキシブルコンテナの底部を固定したときの斜視図である。
【図１】
0003098455.tif 000003
【図２】
0003098455.tif 000004
【図３】
0003098455.tif 000005
(57)【要約】【課題】納骨室内で遺骨が水に浸からないようにする。また湿気による影響を少なくする。【解決策】納骨室４にフロート（浮き）付き骨受け皿１を設置した。【選択図】　図２
0003098452.tif 000002
【実用新案登録請求の範囲】
【請求項１】
納骨室内４に設置するセラミック製フロート（浮き）２の付いた骨受け皿１
【考案の詳細な説明】
【０００１】
【考案が解決しようとする課題】
水はけの悪い墓地において、納骨室に納められた遺骨は、室内に水が湧くと水浸しになるという問題があった。
【０００２】
【課題を解決するための手段】
上記目的を達成する為に、納骨室内にセラミック製フロート（浮き）の付いた受け皿を設置した。
【０００３】
【考案の効果】
セラミック製フロート（浮き）付き骨受け皿を使う事により、納骨室に水が溜まっても、遺骨が水浸しになる事が無くなり、また湿気による影響を受けにくくなった。
【図面の簡単な説明】
【図１】セラミック製フロート（浮き）付き骨受け皿の斜視図である。
【図２】設置した状態での納骨室を含めた断面図である。
【符号の説明】
１　セラミック製フロート（浮き）付き骨受け皿
２　セラミック製フロート（浮き）
３　金網
４　納骨室
【図１】
0003098452.tif 000003
【図２】
0003098452.tif 000004